(57)【要約】【課題】目視情報表示用ピットにより目視可能な情報を光ディスクに記録する光ディスク処理装置において、ユーザによる目視情報記録用データの入力操作を必要とせずに、目視可能な情報を光ディスクに記録できる。【解決手段】光ディスク処理装置は、目視可能な情報の記録指示がなされると（＃１でＹＥＳ）、光ディスクに記録されているＴＯＣ（Table of Contents）に含まれるタイトル情報を読取り（＃２）、そのタイトル情報を基に、他のピットよりも幅の広い目視情報表示用ピットを形成すべき光ディスク上の位置座標を算出し（＃３）、その位置に目視情報表示用ピットを形成する（＃４）。光ディスク処理装置は、複数の記録層を有する多層型ディスクを扱い、目視情報表示用ピットは、光ディスクの基板層に最も近い記録層に形成され、符号データ用ピットは、それ以外の記録層に形成される。【選択図】図３
2006085787.tif 000002
【特許請求の範囲】
【請求項１】
同心円状又は渦巻状に記録トラックが形成された記録層を有する光ディスクを回転させる光ディスク駆動手段と、
前記光ディスクの記録トラックに光を照射することにより該記録トラックに周囲と異なる光の反射を起こすピットを形成し、また、前記光ディスクの記録トラックに光を照射して反射光を受光することによりピットを検出する光ヘッドと、
前記光ヘッドを前記光ディスク上で移動させる光ヘッド移動手段と、
前記光ヘッド移動手段による前記光ヘッドの移動、前記光ディスク駆動手段による前記光ディスクの回転、及び前記ヘッドによる光の照射を制御することにより、前記光ディスクにピットを形成して情報を記録し、また、前記光ディスクのピットを検出して情報を読取る制御手段とを備え、
前記制御手段は、情報を符号化した符号データに対応する配列で符号データ用ピットを形成することにより、符号データを記録する符号データ記録手段と、他のピットよりも幅の広い目視情報表示用ピットを所定のパターンで多数密集させて形成することにより、目視可能な情報を記録する目視情報記録手段とを有する光ディスク処理装置において、
前記光ディスクは、前記記録層が基板層の片側に複数層重ねられた多層ディスクであり、
前記制御手段は、前記光ディスクに記録されているＴＯＣ（Table of Contents）に含まれるタイトル情報を読取るタイトル情報取得手段と、前記タイトル情報取得手段にて読取ったタイトル情報を目視可能に記録するために前記目視情報表示用ピットを形成すべき前記光ディスク上の位置座標を算出する座標算出手段とをさらに備え、
前記目視情報記録手段は、前記座標算出手段により算出した座標を基に、前記光ディスクの基板層に最も近い記録層に目視情報表示用ピットを形成することにより、タイトル情報を目視可能に記録し、目視情報表示用ピットの形成は、前記光ヘッドの光の集光スポット径を大きくすると共に光の照射強度を強くすることにより行い、
前記符号データ記録手段は、前記光ディスクの基板層に最も近い記録層以外の記録層に前記符号データ用ピットを形成することにより、符号データ記録することを特徴とする光ディスク処理装置。
【請求項２】
同心円状又は渦巻状に記録トラックが形成された記録層を有する光ディスクを回転させる光ディスク駆動手段と、
前記光ディスクの記録トラックに光を照射することにより該記録トラックに周囲と異なる光の反射を起こすピットを形成し、また、前記光ディスクの記録トラックに光を照射して反射光を受光することによりピットを検出する光ヘッドと、
前記光ヘッドを前記光ディスク上で移動させる光ヘッド移動手段と、
前記光ヘッド移動手段による前記光ヘッドの移動、前記光ディスク駆動手段による前記光ディスクの回転、及び前記ヘッドによる光の照射を制御することにより、前記光ディスクにピットを形成して情報を記録し、また、前記光ディスクのピットを検出して情報を読取る制御手段とを備え、
前記制御手段は、他のピットよりも幅の広い目視情報表示用ピットを所定のパターンで多数密集させて形成することにより、目視可能な情報を記録する目視情報記録手段とを有する光ディスク処理装置において、
前記目視情報記録手段は、前記光ディスクに記録されるＴＯＣ（Table of Contents）に含まれるタイトル情報を目視可能に記録することを特徴とする光ディスク処理装置。
【請求項３】
前記光ディスクは、前記記録層が基板層の片側に複数層重ねられた多層ディスクであり、
前記目視情報記録手段は、目視可能な情報を前記光ディスクの基板層に最も近い記録層に記録する請求項２に記載の光ディスク処理装置。
【発明の詳細な説明】
【技術分野】
【０００１】
本発明は、光ディスクに周囲と異なる光の反射を起こすピットを形成することにより情報を記録する光ディスク処理装置に関するものである。
【背景技術】
【０００２】
従来より、光ディスクにおいて、ピットの幅を広くすると光の反射強度が弱くなることを利用し、他のピットよりも幅の広いピットを所定のパターンで多数密集させて形成することにより、光ディスク面上に図形や文字等の濃淡を作り出し、それら図形や文字等からなる情報を肉眼で目視可能に表示するようにしたものが知られている（例えば特許文献１参照）。
【０００３】
また、光ディスク処理装置において、多数のピットを所定のパターンで集合させて形成することにより、光ディスク面上に図形や文字等からなる目視可能な情報を記録するようにしたものが知られている（例えば、特許文献２及び特許文献３参照）。この光ディスク処理装置では、デジタルカメラで撮影した画像やキーボードから入力した文字を目視情報記録用データとして入力することにより、それらの画像や文字を目視可能な情報として光ディスク面上に記録するようになっている。
【特許文献１】特開平１１−２１３４５５号公報
【特許文献２】特開２００３−１６６４９号公報
【特許文献３】特開２００２−５１１１８号公報
【発明の開示】
【発明が解決しようとする課題】
【０００４】
ところが、上述した従来の光ディスク処理装置においては、目視可能な情報を光ディスク面上に記録するには、デジタルカメラで撮影した画像やキーボードから入力した文字を目視情報記録用データとして入力する必要があるため、その都度、ユーザがデジタルカメラやキーボードを光ディスク処理装置に接続して目視情報記録用データの入力操作を行わなければならず、手間が掛かり、使い勝手の悪いものであった。
【０００５】
本発明は、上記課題を解決するためになされたものであり、光ディスクに映像や音楽等の情報を符号化して記録する際に光ディスクのＴＯＣ（Table of Contents）に記録されるタイトル情報を目視情報記録用データとして用いることにより、別途ユーザによる目視情報記録用データの入力操作を必要とせずに、目視可能な情報を光ディスクに記録することができる光ディスク処理装置を提供することを目的とする。
【課題を解決するための手段】
【０００６】
上記目的を達成するために請求項１の発明は、同心円状又は渦巻状に記録トラックが形成された記録層を有する光ディスクを回転させる光ディスク駆動手段と、光ディスクの記録トラックに光を照射することにより該記録トラックに周囲と異なる光の反射を起こすピットを形成し、また、光ディスクの記録トラックに光を照射して反射光を受光することによりピットを検出する光ヘッドと、光ヘッドを光ディスク上で移動させる光ヘッド移動手段と、光ヘッド移動手段による光ヘッドの移動、光ディスク駆動手段による光ディスクの回転、及びヘッドによる光の照射を制御することにより、光ディスクにピットを形成して情報を記録し、また、光ディスクのピットを検出して情報を読取る制御手段とを備え、制御手段は、情報を符号化した符号データに対応する配列で符号データ用ピットを形成することにより、符号データを記録する符号データ記録手段と、他のピットよりも幅の広い目視情報表示用ピットを所定のパターンで多数密集させて形成することにより、目視可能な情報を記録する目視情報記録手段とを有する光ディスク処理装置において、光ディスクは、記録層が基板層の片側に複数層重ねられた多層ディスクであり、制御手段は、光ディスクに記録されているＴＯＣ（Table of Contents）に含まれるタイトル情報を読取るタイトル情報取得手段と、タイトル情報取得手段にて読取ったタイトル情報を目視可能に記録するために目視情報表示用ピットを形成すべき光ディスク上の位置座標を算出する座標算出手段とをさらに備え、目視情報記録手段は、座標算出手段により算出した座標を基に、光ディスクの基板層に最も近い記録層に目視情報表示用ピットを形成することにより、タイトル情報を目視可能に記録し、目視情報表示用ピットの形成は、光ヘッドの光の集光スポット径を大きくすると共に光の照射強度を強くすることにより行い、符号データ記録手段は、光ディスクの基板層に最も近い記録層以外の記録層に符号データ用ピットを形成することにより、符号データ記録するものである。
【０００７】
請求項２の発明は、同心円状又は渦巻状に記録トラックが形成された記録層を有する光ディスクを回転させる光ディスク駆動手段と、光ディスクの記録トラックに光を照射することにより該記録トラックに周囲と異なる光の反射を起こすピットを形成し、また、光ディスクの記録トラックに光を照射して反射光を受光することによりピットを検出する光ヘッドと、光ヘッドを光ディスク上で移動させる光ヘッド移動手段と、光ヘッド移動手段による光ヘッドの移動、光ディスク駆動手段による光ディスクの回転、及びヘッドによる光の照射を制御することにより、光ディスクにピットを形成して情報を記録し、また、光ディスクのピットを検出して情報を読取る制御手段とを備え、制御手段は、他のピットよりも幅の広い目視情報表示用ピットを所定のパターンで多数密集させて形成することにより、目視可能な情報を記録する目視情報記録手段とを有する光ディスク処理装置において、目視情報記録手段は、光ディスクに記録されるＴＯＣ（Table of Contents）に含まれるタイトル情報を目視可能に記録するものである。
【０００８】
請求項３の発明は、請求項２に記載の光ディスク処理装置において、光ディスクは、記録層が基板層の片側に複数層重ねられた多層ディスクであり、目視情報記録手段は、目視可能な情報を光ディスクの基板層に最も近い記録層に記録するものである。
【発明の効果】
【０００９】
請求項１の発明によれば、光ディスクに記録されるＴＯＣ（Table of Contents）に含まれるタイトル情報が目視可能な情報として記録され、このタイトル情報は光ディスクに映像や音楽等の情報を記録する際に光ディスクのＴＯＣに記録されるため、別途デジタルカメラやキーボード等を光ディスク処理装置に接続して目視情報記録用データを入力する必要がなく、容易に目視可能な情報を光ディスクに記録することができる。しかも、タイトル情報が目視可能な情報として記録されるため、その目視可能に記録されたタイトル情報を見ることにより、光ディスクの情報記録内容を判断することができると共に、光ディスクを個々に識別することができる。また、光ディスクの基板層に最も近い記録層に目視情報表示用ピットが形成され、それ以外の記録層に符号データ用ピットが形成されるため、光ディスク面上に目視情報表示用ピットによる濃淡がくっきりと表現され、目視可能な情報をより見易く表示することができる。
【００１０】
請求項２の発明によれば、光ディスクに記録されるＴＯＣ（Table of Contents）に含まれるタイトル情報が目視可能な情報として記録され、このタイトル情報は光ディスクに映像や音楽等の情報を記録する際に光ディスクのＴＯＣに記録されるため、別途デジタルカメラやキーボード等を光ディスク処理装置に接続して目視情報記録用データを入力する必要がなく、容易に目視可能な情報を光ディスクに記録することができる。しかも、タイトル情報が目視可能な情報として記録されるため、その目視可能に記録された情報を見ることにより、光ディスクの情報記録内容を判断することができると共に、光ディスクを個々に識別することができる。
【００１１】
請求項３の発明によれば、光ディスクの基板層に最も近い記録層に目視情報表示用ピットが形成されるため、光ディスク面上に目視情報表示用ピットによる濃淡がくっきりと表現され、目視可能な情報をより見易く表示することができる。
【発明を実施するための最良の形態】
【００１２】
以下、本発明を具体化した実施形態による光ディスク処理装置について図面を参照して説明する。図１は、光ディスク処理装置の構成を示し、図２（ａ）（ｂ）は、光ディスク処理装置により目視可能な情報が記録された光ディスクを示す。光ディスク１は、情報記録面１ａに周囲と異なる光の反射を起こすピットＰが形成されることにより、例えば映像や音楽等の情報が符号化されて記録される光記録媒体である。光ディスク処理装置１０は、光ディスク１にピットＰを形成することにより、情報を符号化して光ディスク１に記録し、また、光ディスク１に形成されているピットＰを検出することにより、光ディスク１に記録されている情報を再生する装置である。また、光ディスク処理装置１０は、ユーザの操作により、ピットＰによる反射強度の変化を利用した肉眼で目視可能な情報（図２（ａ）に示す例では、「ＮＡＴＵＮＯＯＭＯＩＤＥ」）を記録できるようになっている。
【００１３】
光ディスク処理装置１０は、光ディスク処理装置１０を制御するためのＣＰＵ等からなる制御部１１と、ディスク挿入検知部１２と、スピンドルモータ１３と、移動モータ１４と、光ヘッド１５と、レーザ駆動部１６と、ＲＦ信号処理部１７と、サーボ制御部１８とを備える。また、光ディスク処理装置１０は、放送信号受信部１９と、受信信号処理部２０と、入力信号処理部２１と、符号化処理部２２と、復号処理部２３と、バッファメモリ２４と、ＯＳＤ処理部２５と、映像・音声信号出力部２６と、目視情報パターン生成部２７と、リモコンと２８、リモコン受信部２９と、表示部３０と、ＲＯＭ３１とを備える。
【００１４】
ディスク挿入検知部１２は、光ディスク１がディスク挿入部（不図示）から挿入されたことを検出し、その信号を制御部１１へ入力する。ディスク挿入部に挿入された光ディスク１は、スピンドルモータ１３に装着される。スピンドルモータ１３は、制御部１１による制御のもと回転駆動され、装着された光ディスク１を回転させる。移動モータ１４は、リニアモータから成り、光ヘッド１５を光ディスク１上でその半径方向に移動させる。
【００１５】
光ヘッド１５は、符号データによる情報及び目視可能な情報を光ディスク１に記録するために、光ディスク１に光を照射して、光ディスク１に周囲と異なる光の反射を起こすピットＰを形成し、また、光ディスク１に記録されている符号データによる情報を読取るために、光ディスク１に光を照射して、光ディスク１に形成されているピットＰを検出するものである。光ヘッド１５は、半導体レーザ５１、コリメートレンズ５２、ビームスプリッタ５３、対物レンズ５４、集光レンズ５５、及び受光素子５６を備えている。
【００１６】
半導体レーザ５１は、レーザ駆動部１６により駆動されて光を出射する。半導体レーザ５１から出射された光は、コリメートレンズ５２、ビームスプリッタ５３、及び対物レンズ５４を介して光ディスク１上に集光照射される。また、光ディスク１で反射された光は、対物レンズ５４、ビームスプリッタ５３、集光レンズ５５を介して、受光素子５６上に集光される。対物レンズ５４は、レンズホルダ５７に保持されており、サーボ制御部１８による制御のもと、フォーカシングコイル５８及びトラッキングコイル５９の磁気作用により、光ディスク１面と垂直な方向及び光ディスク１の半径方向に移動される。この対物レンズ５４の移動により、半導体レーザ５１から出射されて光ディスク１上に集光照射される光の集光点の位置及び集光スポット径が調整される。受光素子５６は、受光面が複数の領域に分割されており、受光面毎に受光強度に応じた電気信号を出力する。
【００１７】
上記光ヘッド１５は、半導体レーザ５１から出射される光を光ディスク１の情報記録面１ａに照射して、光ディスク１の記録層を変質させることにより、光ディスク１にピットを形成する。また、光ヘッド１５は、半導体レーザ５１から出射される光を光ディスク１の情報記録面１ａに照射して、受光素子５６が光ディスク１からの反射光を受光することにより、光ディスク１に形成されているピットＰを検出する。ピットＰを検出する際には、光ディスク１の記録層が変質しないように、半導体レーザ５１から出射する光の強度が弱められる。
【００１８】
レーザ駆動部１６は、制御部１１による制御のもと、半導体レーザ５１の発光タイミングや発光強度を制御する。ＲＦ信号処理部１７は、受光素子５６からの出力信号に基づいて、ＲＦ信号（反射強度信号）及びフォーカシングエラー信号及びトラッキングエラー信号を生成し出力する。サーボ制御部１８は、ＲＦ信号処理部１７からのフォーカシングエラー信号及びトラッキングエラー信号に基づいて、フォーカシングコイル５８及びトラッキングコイル５９を駆動し、これにより、対物レンズ５４を移動させて、光ディスク１上に照射される半導体レーザ５１からの光の集光点の位置を制御する。
【００１９】
放送信号受信部１９は、制御部１１による制御のもと、受信周波数が放送局から配信されるテレビ放送信号の周波数に同調されることにより、アンテナ１９ａを介してテレビ放送信号を受信する。受信信号処理部２０は、制御部１１による制御のもと、放送信号受信部１９で受信したテレビ放送信号を復調処理して映像・音声信号を生成する。入力信号処理部２１は、制御部１１による制御のもと、信号入力端子２１ａを介してビデオカメラやデジタルカメラ等の外部機器から入力される信号を処理して映像・音声信号を生成する。
【００２０】
符号化処理部２２は、制御部１１による制御のもと、受信信号処理部２０及び入力信号処理部２１にて生成された映像・音声信号を基に、それら映像・音声信号を所定の形式に符号化した符号データを生成する。バッファメモリ２４は、光ディスク１に記録するための符号データ、及び光ディスク１から読取った符号データを一時的に保存する。
【００２１】
光ディスク１への符号データの記録は、制御部１１による制御のもと、光ヘッド１５により、ピットＰとして、長さ及び配列により符号データを表す符号データ用ピットを光ディスク１に形成することにより行われる。また、光ディスク１からの符号データの読取りは、光ヘッド１５により光ディスク１に記録されているピットＰを検出し、それによりＲＦ信号処理部１７から出力されるＲＦ信号を基に、制御部１１にてピットＰの長さや配列が判別されることにより行われる。
【００２２】
復号処理部２３は、制御部１１による制御のもと、光ディスク１から読取った符号データを復号処理して映像・音声信号を生成する。ＯＳＤ処理部２５は、制御部１１による制御のもと、映像信号に各種オンスクリーン表示信号を重畳する。映像・音声信号出力部２６は、制御部１１による制御のもと、信号出力端子２６ａを介してディスプレイやスピーカ等に映像・音声信号を出力する。
【００２３】
目視情報パターン生成部２７は、光ディスク１に記録する目視可能な情報の表示パターンを生成する。目視可能な情報は、ピットＰとして、他のピットよりも幅の広い目視情報表示用ピットを光ディスク１上の所定の表示パターン領域内に多数密集させて形成することにより記録される。目視情報パターン生成部２７は、制御部１１から入力される目視情報作成用データを基に、その表示パターンを生成する。制御部１１では、目視情報パターン生成部２７にて生成された表示パターン及び光ディスク１のアドレスデータを基に、目視情報表示用ピットを形成すべき光ディスク１上の位置座標が算出される。
【００２４】
リモコン２８は、テレビ放送信号の受信チャンネルの選択、映像、音声等の符号データによる情報の記録／再生、目視可能な情報の記録等、光ディスク処理装置１０の各種動作を指示するためにユーザにより操作されるものであり、各種動作を指示するためにユーザに操作される各種操作キー（何れも不図示）を備えている。リモコン２８は、各種操作キーが操作されることにより、その操作に対応付けられた赤外線コード信号を送出する。
【００２５】
リモコン受信部２９は、リモコン２８から送出される赤外線信号を受信して電気信号に変換し、リモコン２８の操作に対応する信号を制御部１１へ出力する。表示部３０は、光ディスク処理装置１０本体のフロントパネルに設けられ、リモコン２８により操作された内容や光ディスク処理装置１０の動作状況等を表示する。ＲＯＭ３１は、制御部１１の動作プログラムを格納している。
【００２６】
制御部１１は、リモコン受信部２９からの出力信号を基にリモコン２８の操作内容を判断し、テレビ放送信号の受信動作、テレビ放送信号により配信されるテレビ番組の光ディスク１への録画・録音動作、ビデオカメラやデジタルカメラ等から入力される映像・音声の光ディスク１への録画・録音動作、光ディスク１に録画・録音されている映像・音声の再生動作、光ディスク１への目視可能な情報の記録動作、等を制御する。
【００２７】
テレビ番組の光ディスク１への録画・録音は、制御部１１による制御のもと、放送信号受信部１９で受信したテレビ放送信号を基に受信信号処理部２０にて映像・音声信号を生成し、その映像・音声信号を符号化処理部２２にて符号化し、その符号データを光ディスク１に記録することにより行われる。また、ビデオカメラやデジタルカメラ等から入力される映像・音声の光ディスク１への録画・録音は、制御部１１による制御のもと、信号入力端子２１ａから入力された信号を基に入力信号処理部２１にて映像・音声信号を生成し、その映像・音声信号を符号化処理部２２にて符号化し、その符号データを光ディスク１に記録することにより行われる。符号データの記録は、ピットＰとして、長さ及び配列により符号データを表す符号データ用ピットを光ディスク１に形成することにより行われる。
【００２８】
また、光ディスク１に映像・音声を録画・録音する際、制御部１１による制御のもと、録画・録音内容を示すタイトル情報等を含むＴＯＣ（Table of Contents）が、光ディスク１のリードイン領域に符号データの形態で記録される。タイトル情報は、テレビ番組を録画・録音する場合は、テレビ放送信号に含まれる電子番組情報から取得され、ビデオカメラやデジタルカメラ等から入力される映像・音声する場合は、入力される信号から取得されるか、又は自動的に付与される。
【００２９】
光ディスク１に録画・録音されている映像・音声の再生は、制御部１１による制御のもと、光ディスク１に形成されているピットを検出して光ディスク１に記録されている符号データを読取り、その符号データを復号処理部２３にて複合し、その復号した映像・音声信号を映像・音声信号出力部２６から出力することにより行われる。
【００３０】
光ディスク１への目視可能な情報の記録は、制御部１１による制御のもと、ピットＰとして、他のピットよりも幅の広い目視情報表示用ピットを、光ディスク１に記録されている（又は、記録される）ＴＯＣに含まれるタイトル情報を示す表示パターンで光ディスク１上に多数密集させて形成することにより行われる。
【００３１】
目視情報表示用ピットを形成すべき光ディスク1上の位置座標は、制御部１１による制御のもと、光ディスク１に記録されている（又は、記録される）ＴＯＣに含まれるタイトル情報を読取り、そのタイトル情報を目視情報作成用データとして目視情報パターン生成部２７にて目視可能な情報を示す表示パターン（従ってタイトル情報を示す表示パターン）を生成し、その表示パターン及び光ディスク１のアドレスデータに基づいて算出される。目視情報表示用ピットの形成は、光ヘッド１５の対物レンズ５４を移動させて光ヘッド１５から出射される光の集光スポット径を大きくすると共に、半導体レーザ５１の発光出力を高めて光ヘッド１５から出射される光の強度を強くすることにより行われる。
【００３２】
制御部１１は、移動モータ１４によるによる光ヘッド１５の移動、スピンドルモータ１３による光ディスク１の回転、及びヘッド１５による光の照射を制御することにより、ピットＰ（符号データ用ピット又は目視情報表示用ピット）を光ディスク１に形成して符号データ又は目視可能な情報を記録し、また、光ディスク１のピットＰを検出して符号データを読取る。
【００３３】
図３は、上記光ディスク処理装置１０により扱われる光ディスク１の構成を示し、図４は、光ディスク１のピットＰの形成例を示す。光ディスク１は、基板層２と、第１の記録層３と、スペーサ層４と、第２の記録層５と、保護層６とを備えており、第１の記録層３と第２の記録層５が基板層２の片側に重ねて設けられた２層型ＤＶＤ（Digital Versatile Disk）である。
【００３４】
基板層２は、透明であり、第１の記録層３は、基板層２上に設けられている。第１の記録層３は、透明であり、所定ピッチで同心円状又は渦巻状に形成された記録トラック３ａを有している。スペーサ層４は、透明であり、第２の記録層５は、スペーサ層４を介して第１の記録層３上に設けられている。第２の記録層５は、第１の記録層３と同様に、所定ピッチで同心円状又は渦巻状に形成された記録トラック５ａを有している。保護層６は、第２の記録層５上に設けられている。
【００３５】
基板層２の表面は情報記録面１ａであり、情報記録面１ａに（基板層２側から）光が照射されることにより、第１の記録層３又は第２の記録層５にピットＰが形成され、また、第１の記録層３又は第２の記録層５に形成されているピットＰが検出される。保護層６の表面はレーベル面１ｂであり、レーベル面１ｂには、光ディスク１の記録内容等を示す情報が印刷等により記載されている。
【００３６】
上記光ディスク処理装置１０は、このような２層型の光ディスク１を扱い、基板層２に最も近い第１の記録層３を目視情報表示用ピットを形成するための記録層に割当てて、第１の記録層３に目視情報表示用ピットＰ−３ａ、Ｐ−３ｂ（図４参照）を形成し、それ以外の第２の記録層５を符号データ用ピットを形成するための記録層に割当てて、第２の記録層５に符号データ用ピットＰ−５ａ、Ｐ−５ｂを形成する。
【００３７】
符号データ用ピットＰ−５ａ、Ｐ−５ｂは、情報を符号化した符号データに対応する長さ及び配列で形成され、目視情報表示用ピットＰ−３ａ、Ｐ−３ｂは、符号データ用ピットＰ−５ａ、Ｐ−５ｂよりも広い幅で、所定の表示パターン領域内（ＴＯＣに含まれるタイトル情報を基に算出された位置座標）に多数密集して形成される。幅の広い目視情報表示用ピットＰ−３ａ、Ｐ−３ｂが所定の表示パターン領域内に多数密集して形成されることにより、その表示パターン領域での光の反射が弱められ、光ディスク１の情報記録面１ａにその表示パターンに対応する濃淡が生じ、表示パターンに対応する図形や文字等（図２（ａ）に示す例では、「ＮＡＴＵＮＯＯＭＯＩＤＥ」）が目視可能な情報として光ディスク１の情報記録面１ａに表示される。
【００３８】
図５は、上記光ディスク処理装置１０の目視可能な情報の記録動作のフローチャートを示す。制御部１１は、リモコン２９により目視可能情報の記録指示がなされると（＃１でＹＥＳ）、光ディスク１に記録されているＴＯＣに含まれるタイトル情報を読取り（＃２）、そのタイトル情報を基に、目視情報表示用ピットを形成すべき光ディスク１上の位置座標を算出する（＃３）。なお、光ディスク１に映像や音楽等の情報が記録されておらず、ＴＯＣにタイトル情報が記録されていない場合には、エラー表示等をして、目視可能な情報の記録動作を処理を終了する。そして、その算出した座標に対応する光ディスク１の第１の記録層３上の位置に目視情報表示用ピットを形成する（＃４）。これにより、目視可能な情報が光ディスク１に記録される。
【００３９】
このような構成の光ディスク処理装置１０によれば、光ディスク１に記録されているＴＯＣに含まれるタイトル情報が目視可能な情報として記録されるため、デジタルカメラやキーボード等を光ディスク処理装置１０に接続して目視情報記録用データを入力する必要がなく、リモコン２８により目視可能情報の記録指示をするだけで、容易に目視可能な情報を光ディスク１に記録することができる。
【００４０】
しかも、タイトル情報が目視可能な情報として記録されるため、その目視可能に記録されたタイトル情報を見ることにより、光ディスク１の情報記録内容を判断することができると共に、光ディスク１を個々に識別することができる。また、光ディスク１の基板層２に最も近い第１の記録層３に目視情報表示用ピットが形成され、それ以外の第２の記録層５に符号データ用ピットが形成されるため、目視情報表示用ピットによる濃淡がくっきりと表現され、目視可能な情報をより見易く表示することができる。
【００４１】
なお、本発明は、上記実施形態の構成に限られず、種々の変形が可能である。例えば、光ディスク１に映像や音楽等の情報を記録するときに自動的にタイトル情報を目視情報表示用ピットにより目視可能に記録するようにしてもよい。すなわち、光ディスク１に映像や音楽等の情報を記録する際に光ディスクのＴＯＣに記録されるタイトル情報を基に、光ディスク１に映像や音楽等の情報を記録する前又は記録した後に、そのタイトル情報を目視可能に記録してもよい。
【００４２】
また、第１の記録層３に符号データ用ピットを形成して、第２の記録層５に目視情報表示用ピットを形成してもよく、また、第１の記録層３又は第２の記録層５に符号データ用ピットと目視情報表示用ピットの両方を形成してもよい。光ディスク１は、２層型に限られず、１層型であってもよい。この場合、例えば、光ディスク１の最外周側の所定エリアを目視可能な情報記録用のエリアに割当てて、そのエリアに目視情報表示用ピットを形成するか、又は、目視情報表示用ピットを符号データ用ピットと兼ねたものとすればよい。符号データ用ピットにより記録される情報は、映像や音楽以外の情報であってもよい。
【図面の簡単な説明】
【００４３】
【図１】本発明の一実施形態による光ディスク処理装置の概略構成を示す電気的ブロック構成図。
【図２】（ａ）は同光ディスク処理装置により目視可能な情報が記録された光ディスクの概略構成を示す平面図、（ｂ）は（ａ）の部分拡大図。
【図３】同光ディスク処理装置が扱う光ディスクの構成を示す断面図。
【図４】同光ディスクのピットの形成例を示す部分拡大した平面図。
【図５】同光ディスク処理装置の目視可能な情報の記録動作を示すフローチャート。
【符号の説明】
【００４４】
１    光ディスク
１ａ    情報記録面
１ｂ    レーベル面
２    基板層
３    第１の記録層
３ａ    記録トラック
４    スペーサ層
５    第２の記録層
５ａ    記録トラック
６    保護層
１０    光ディスク処理装置
１１    制御部（符号データ記録手段、目視情報記録手段、タイトル情報取得手段、座標算出手段）
１２    ディスク挿入検知部
１３    スピンドルモータ（光ディスク駆動手段）
１４    移動モータ（光ヘッド移動手段）
１５    光ヘッド
１６    レーザ駆動部
１７    ＲＦ信号処理部
２２    符号化処理部
２３    復号処理部
２７    目視情報パターン生成部
２８    リモコン
Ｐ    ピット
Ｐ−３ａ、Ｐ−３ｂ    目視情報表示用ピット
Ｐ−５ａ、Ｐ−５ｂ    符号データ用ピット
【図１】
2006085787.tif 000003
【図２】
2006085787.tif 000004
【図３】
2006085787.tif 000005
【図４】
2006085787.tif 000006
【図５】
2006085787.tif 000007
【手続補正書】
【提出日】平成17年9月1日(2005.9.1)
【手続補正１】
【補正対象書類名】明細書
【補正対象項目名】０００３
【補正方法】変更
【補正の内容】
【０００３】
また、光ディスク処理装置において、多数のピットを所定のパターンで集合させて形成
することにより、光ディスク面上に図形や文字等からなる目視可能な情報を記録するよう
にしたものが知られている（例えば、特許文献２及び特許文献３参照）。この光ディスク
処理装置では、デジタルカメラで撮影した画像やキーボードから入力した文字を目視情報
記録用データとして入力することにより、それらの画像や文字を目視可能な情報として光
ディスク面上に記録するようになっている。
【特許文献１】特開平１１−２１３４５５号公報
【特許文献２】特開２００３−１６６４９号公報
【特許文献３】特開２００３−５１１１８号公報